(57)【要約】【課題】  ブロック材からなる架台を使用しており、このブロック材上に太陽電池モジュールが固定されている太陽光発電システムに関して、前記太陽電池モジュールの出力電力を変換するコンバータが、ブロック材として使用されていることを特徴としたものに関する。【解決手段】  太陽電池モジュールとブロック材からなる太陽電池モジュール架台と、前記太陽電池モジュールの出力を電力変換するコンバータを有している太陽光発電システムにおいて、前記ブロック材は枕材ブロックと傾斜材ブロックを構成しており、太陽電池モジュールは前記傾斜材ブロック上に固定されてあって、前記コンバータが前記枕材ブロックとして使用されていることを特徴とする太陽光発電システム。【選択図】  図１
2006165170.tif 000002
【特許請求の範囲】
【請求項１】
太陽電池モジュールとブロック材からなる太陽電池モジュール架台と、前記太陽電池モジュールの出力を電力変換するコンバータを有している太陽光発電システムにおいて、前記ブロック材は枕材ブロックと傾斜材ブロックを構成しており、太陽電池モジュールは前記傾斜材ブロック上に固定されてあって、前記コンバータが前記枕材ブロックとして使用されていることを特徴とする太陽光発電システム。
【請求項２】
前記コンバータに接続される太陽電池モジュールは複数であることを特徴とする太陽光発電システム。
【請求項３】
前記コンバータとその隣接する枕材ブロックとの間には隙間が形成されていることを特徴とする請求項１記載の太陽光発電システム。
【請求項４】
前記コンバータの高さは枕材ブロックの高さより低いことを特徴とする請求項１記載の太陽光発電システム。
【請求項５】
前記コンバータの少なくとも一部が前記傾斜材ブロックの非受光面に接していることを特徴とする請求項４記載の太陽光発電システム。
【請求項６】
前記コンバータの枕材ブロック連結方向の長さは、傾斜材ブロックの傾斜材ブロック連結方向の長さより小さいことを特徴とする請求項１記載の太陽光発電システム。
【発明の詳細な説明】
【技術分野】
【０００１】
本発明はブロック材を使用した太陽光発電システムに関する。
【背景技術】
【０００２】
従来から環境問題に対する意識の高まりが、世界的に広がりを見せている。中でも、ＣＯ2排出に伴う地球の温暖化現象に対する危惧感は深刻で、クリーンなエネルギーへの希求はますます強まってきている。太陽電池は現在のところ、その安全性と扱いやすさから、クリーンなエネルギー源として期待のもてるものだということができる。
【０００３】
太陽電池の課題はシステムトータルの低コスト化であり、近年では太陽電池装置の形態として様々なタイプが提案されてきている。その中には太陽電池モジュールの近傍にコンバータ、すなわちDC/DCコンバータあるいはDC/ACコンバータを配置して電力変換後、系統電力へ電気接続する太陽光発電システムに関する技術開発も行われている。
【０００４】
特開２００２−３５４６７８には電力変換手段とその出力側の電気接続手段を有する発電装置が開示されている。
【０００５】
また、特開２００３−５２１８５には太陽電池モジュールの架台裏に、太陽電池モジュール近傍に配置された電力変換機を有する発電装置が開示されている。
このようなシステムは小型コンバータを数多く使用することでコンバータの量産効果による低コスト化を狙ったものである。
【０００６】
一方、太陽電池アレイの架台の背丈を低くして地面に近いところに配置して（以下、低プロファイル化と呼ぶ）、コストを下げる取り組みが行なわれている。こうすることにより、架台材料費が小さくなり、また強風時の風荷重が小さくなるためトータルコストが下げられる。
【０００７】
この代表的な実施形態としては、特開２００２−３５９３８７があげられる。
【特許文献１】特開２００２−３５４６７８号公報
【特許文献２】特開２００３−５２１８５号公報
【特許文献３】特開２００２−３５９３８７号公報
【発明の開示】
【発明が解決しようとする課題】
【０００８】
図１４は太陽電池アレイを低プロファイル化した例であり、また出力が大きな太陽電池モジュールの出力を、前記太陽電池モジュール近傍に配置したコンバータで電力変換している太陽光発電システムの概略図である。図において１４０１はDC/ACコンバータ、１４０２は太陽電池モジュール、１４０３はコンバータの出力線、１４０４は傾斜材ブロックである。
【０００９】
図のようにブロック材で枕材ブロックと傾斜材ブロック１４０４を組み合わせて傾斜面を形成し、この傾斜面に太陽電池モジュール１４０２を固定する。
【００１０】
ブロック材により架台を構成することで、地面上に配置しただけで架台の設置が完了する。ブロック材としてコンクリート等を使用すれば、それ自身が重量物であるのと、地面に近いところで配置されるため通常の架台設置や屋根設置と比較すると強風時の荷重が小さくなり、簡単な構造とできるため低コスト化が図れる。
【００１１】
以上のように低プロファイル化された架台を用いることで、安価に太陽電池モジュールを設置できる。
【００１２】
さらに上述した例では、太陽電池モジュール１４０２の出力を太陽電池モジュール近傍に配置したコンバータ（すなわちDC/DC変換機あるいはDC/AC変換機）１４０１で昇圧している。このように構成することで、太陽電池モジュールから出力される電流値よりも大幅に小さな電流値に変換することが可能になり、コンバータ以後の出力電線を大幅に細くすることができ施工性が大きく向上する。また抵抗ロスも低減できるので電力ロス低減が図れる。この構成は、太陽電池モジュールに使用する光起電力素子の高効率化にともない特に有効であり、出力電流が１０Aを超える場合は特に有効である。
【００１３】
しかしながら図１４のように、出力の大きな太陽電池モジュールを一つのコンバータで電力変換する場合、コンバータ１４０１の入出力電力容量が大きくなりコンバータのサイズは必然的に大きくなってしまう。一方、架台が低プロファイル化されているため、架台下等のスペースにはコンバータ１４０１の配置場所はない。従って図１４のように架台横の地上面にコンバータ１４０１を配置する必要があった。その結果、架台横の通路を塞いでしまう。
【００１４】
この場合、太陽電池アレイの施工エリア面積が大きくなるだけでなく、コンバータは架台の周端に配置されるので、太陽電池モジュールとコンバータ間の距離が大きくなり電気接続作業が煩雑になってしまう。この問題は発電規模が大きくなるとさらに大きくなる。
【００１５】
また、図９は複数の太陽電池モジュールの出力を、前記太陽電池モジュール近傍に配置したコンバータで電力変換している太陽光発電システムの概略図である。図において９０１はDC/ACコンバータ、９０２は太陽電池モジュール、９０３はコンバータの出力線、９０４は傾斜材ブロック、９０５は枕材ブロックである。
【００１６】
図９の例においても複数の太陽電池モジュールを一つのコンバータで電力変換するために、コンバータ１４０１の入出力電力容量が大きくなり、コンバータのサイズは大きくなり、上記と同様の問題が発生する。
【課題を解決するための手段】
【００１７】
そこで本発明者は上記課題を解決するために鋭意研究開発を重ねた結果、次のような太陽光発電システムが最良であることを見いだした。すなわち本発明は太陽電池モジュールとブロック材からなる太陽電池モジュール架台と、前記太陽電池モジュールの出力を電力変換するコンバータを有している太陽光発電システムにおいて、前記ブロック材は枕材ブロックと傾斜材ブロックを構成しており、太陽電池モジュールは前記傾斜材ブロック上に固定されてあって、前記コンバータが前記枕材ブロックとして使用されていることを特徴とする太陽光発電システムである。
【００１８】
前記コンバータに接続される太陽電池モジュールは複数であり、前記コンバータとその隣接する枕材ブロックとの間には隙間が形成されていることが好ましい。
【００１９】
また、前記コンバータの高さは枕材ブロックの高さより低いこと、前記コンバータの少なくとも一部が前記傾斜材ブロックの非受光面に接していることが好ましい。
【００２０】
また、前記コンバータの枕材ブロック連結方向の長さは、傾斜材ブロックの傾斜材ブロック連結方向の長さより小さいことが好ましい。
【００２１】
（作用）
コンバータを枕材ブロックとして使用することで、コンバータの配置場所は架台配置部以外には不要になり、施工エリア面積を大きくしなくてよい。また太陽電池モジュールの近くにコンバータを配置できるので電気接続作業性が向上する。
【発明の効果】
【００２２】
本発明によれば、以下の効果が期待できる。
【００２３】
コンバータを枕材ブロックとして使用することで、コンバータの配置場所は架台配置部以外には不要になり、施工エリア面積を大きくしなくてよい。また太陽電池モジュールの近くにコンバータを配置できるので電気接続作業性が向上する。
【発明を実施するための最良の形態】
【００２４】
図１は本発明のコンバータを枕材ブロックとして使用した太陽電池アレイを説明するための図である。図において、１０１はコンバータ、１０２は太陽電池モジュール、１０３は端子取り出し箱、１０４は太陽電池モジュールの出力電線、１０５はコンバータの出力電線である。
【００２５】
また図２は図１の太陽電池アレイの概略断面図である。図において２０１はコンバータ、２０２は太陽電池モジュール、２０３は端子取り出し箱、２０４は太陽電池モジュールの出力電線、２０５はコンバータの出力電線である。
【００２６】
コンバータを枕材ブロックとして使用するので、コンバータの配置場所は架台配置部以外には不要になり、施工エリア面積を大きくしなくてよい。また太陽電池モジュールの近くにコンバータを配置できるので電気接続作業性が向上する。
【００２７】
以下に、本発明の太陽光発電システムを構成する各部材についてさらに詳しく説明する。
【００２８】
〔太陽電池モジュール〕
本発明で使用する太陽電池モジュールは、光起電力素子を有しており、これを被覆材等で被覆しているものが好ましい。光起電力素子はEVAなどの充填材で封止されており、最表面、最裏面被覆材は耐候性材料で被覆されているものが好ましい。最表面被覆材としては例えばガラスやフッ素フィルムなどが使用できる。最裏面被覆材としてはPETフィルム、鋼板等を使用できる。
【００２９】
太陽電池モジュールはブロック材で形成された架台の傾斜材ブロック上に固定するが、固定方法は例えば接着により固定できる。
【００３０】
〔コンバータ〕
太陽電池モジュールからの出力を高電圧の直流電力、あるいは高電圧の交流電力に変換する。直流電力に変換するものをDC/DCコンバータ、交流電力に変換するものをDC/ACコンバータ、あるいはインバータという。
【００３１】
太陽電池モジュールからの出力は、このコンバータを経由して高電圧とすることで電流が小さくなり細い電線が使用できる。これにより配線作業が簡単になり施工作業性の向上、配線材の低コスト化が図れる。
【００３２】
本発明では、コンバータはブロック材として使用しているが、コンバータとして使用できる入力電力容量の大きさは５００Ｗ〜１５００Ｗ程度である。
【００３３】
またコンバータは太陽電池モジュールから接続される入力側接続部と、系統電力側へ接続される出力側接続部を有している。それぞれの接続部は筐体外面に防水コネクターが構成されていると、電気接続作業性が良くなるため都合がよい。
【００３４】
また本発明ではコンバータは枕材として使用するので、コンバータの筐体は傾斜材ブロックが載っても大丈夫な機械的強度、そして防水、耐腐食性、耐光性などが求められる。
【００３５】
〔傾斜材ブロックと枕材ブロック〕
低プロファイル架台を作製するためにはブロック材で架台を形成すれば、簡単にそして低コストで作製できる。図９（図中の符号は説明済）の枕材ブロック９０５、傾斜材ブロック９０４のように枕材ブロック上に傾斜材ブロックを載せるだけで、簡単に傾斜面を作製できる。図のように枕材ブロック９０５、傾斜材ブロック９０４それぞれを東西方向に連結して構成することで、発電規模の大きいシステムの架台とすることができる。
【００３６】
またブロック材は重量物であるほうが、風圧過重に対する耐久性を確保する上で好ましいためコンクリートやレンガなどを好適に使用する。
【００３７】
以下、実施例に基づき本発明を詳細に説明する。
【００３８】
（実施例１）
まず太陽電池モジュールを作製する。図１０は本発明の太陽電池アレイで使用する太陽電池モジュールの概略図である。図において１００１は太陽電池モジュール本体、１００２は端子取り出し箱、１００３は出力電線、１００４は電気接続部である。光起電力素子（不図示）を封止して太陽電池モジュール本体１００１を形成する。最表面被覆材、及び最裏面被覆材はそれぞれフッ素フィルム、ＰＥＴを使用する。そして受光面上に出力取り出し箱１００２を形成している。太陽電池の出力は出力取り出し箱１００２から、出力電線１００３へと接続される。そして出力電線先端には電気接続部１００４として２極防水コネクターを形成している。この太陽電池モジュール本体の寸法は３８０ｍｍ×１０００ｍｍであり、１枚の太陽電池モジュールの出力は２００Ｗである。
【００３９】
次にブロック材を配置して低プロファイル架台を作製する。図６は本発明の実施例１の枕材ブロックを配置するところを表す図である。図において６０１は枕材ブロック、６０２はコンバータ、６０３はコンバータの入力側接続部、６０４はコンバータの出力側接続部である。
【００４０】
まず枕材ブロックを配置する。ブロック材はコンクリートブロックを使用し、寸法は１００mm×２００ｍｍ×４００ｍｍのものを使用している。本実施例ではコンバータ６０２はＤＣ/ＡＣコンバータであり、枕材ブロック６０１と同サイズで定格容量は６５０Ｗである。このコンバータを枕材ブロック６０１の配置場所に置く。本実施例では太陽電池モジュールの長さが１０００ｍｍであり、枕材ブロックの長さは４００ｍｍであるので、枕材ブロック２個配置してコンバータを１個配置するが、コンバータの配置間隔は、後工程で電気接続しやすいように太陽電池モジュールの出力電線の近くになるように適宜調整する。
【００４１】
コンバータには入力側接続部６０３が1つ、出力側接続部６０４が２つあり、それぞれの接続部に防水コネクターが形成されている。入力側接続部６０３は地面と反対側の面に形成され、出力側接続部６０４は傾斜材ブロックが配置される側の側面に形成される。こうすることにより、入力側接続部６０３は太陽電池モジュールと電気接続しやすくなり、また出力側接続部６０４は出力側電線と電気接続しやすくなる。また入力側接続部６０３は２極防水コネクター、出力側接続部６０４は３極防水コネクターを使用している。南北方向の枕材ブロック間の距離Lは５７０ｍｍとする。
【００４２】
以上のようにしてコンバータ１０個も含めて枕材ブロックを東西方向に３２個配置し、さらに南北方向の３列分の枕材ブロックも同様に配置する。
【００４３】
次にコンバータの出力側の電線を配置する。図７はコンバータの出力電線を配置するところを説明するための概略図である。図において７０１は枕材ブロック、７０２はコンバータ、７０３はコンバータの出力電線である。このコンバータ出力電線７０３は３極のケーブル線であり、その両端には３極防水コネクターが形成されている。コンバータの出力側接続部（図６の６０４）は２個ずつ形成されており、それぞれはコンバータ内部で並列に形成されている。こうすることで図７のように出力側の配線をカスケード接続できるので都合がよい。コンバータの出力電線７０３はコンバータ間を接続できる長さとし本実施例では１４００ｍｍとしている。なお、このコンバータの出力電線７０３先端の防水コネクターとコンバータの出力側接続部の防水コネクターは対になっているものを使用する。
【００４４】
次に傾斜ブロックを配置するところを説明する。図８は本発明の実施例１の傾斜ブロックを配置するところを説明するための概略図である。図において８０１はコンバータ、８０２は枕材ブロック、８０３は傾斜材ブロック、８０４はコンバータの出力電線である。枕材ブロック８０２間への傾斜材ブロック８０３の配置は、北側の枕材ブロックの角部に傾斜材ブロックの底面を載せて、反対側は南側の枕材ブロックに突き当てるようにする。また南側端の傾斜材ブロックでは、南側端以外の傾斜ブロックと同じ傾斜角度になるように、北側の枕材ブロックの角部に側面を載せて、南側反対部は地面上に配置する。そして東西方向は突き当てて配置する。これを繰り返して太陽電池モジュールの架台を形成する。なお傾斜材ブロック８０３は枕材ブロック８０２と同じものを使用している。この傾斜ブロックを東西方向に６４個配置し、南北方向には３列分を同様に配置する。
【００４５】
そして太陽電池モジュールを固定する。図１は本発明の実施例１の太陽電池モジュールを架台上へ固定したところを表す図である。（図中の符号は説明済）
また図２は本発明実施例１の太陽電池モジュールを架台上へ固定したところを表す概略断面図である（図中の符号は説明済）。
【００４６】
図のように、太陽電池モジュール１０２（２０２）の出力取り出し箱１０３（２０３）がコンバータ１０１（２０１）の位置に近くなるように配置し固定する。固定方法は接着剤（不図示）を使用する。予め太陽電池モジュールの裏面側に接着剤を塗布しておいてから、太陽電池モジュールを傾斜材ブロック上に配置して押圧して固定する。
【００４７】
次に太陽電池モジュール〜コンバータ間を電気接続する。太陽電池モジュールの出力電線１０４（２０４）をコンバータの入力側接続部へ電気接続する。この太陽電池モジュールの出力電線２０４先端の防水コネクターとコンバータの入力側接続部の防水コネクターは、２極で対になっているものを使用する。
【００４８】
以上のように、太陽電池モジュール１０２を傾斜材ブロック上に配置、固定してから、太陽電池モジュール〜コンバータ間を電気接続する、この作業を繰り返して、東西方向に１０枚、そして南北方向には３列の太陽電池モジュールを設置する。
【００４９】
最後にコンバータの出力電線１０５を系統電源側と電気接続する。図１１は本実施例１の太陽電池モジュール〜コンバータ〜系統電力へと接続する太陽光発電システムを説明するための図である。図において１１０１は太陽電池モジュール、１１０２はコンバータ、１１０３はコンバータの出力電線、１１０４は配電盤、１１０５は系統電源である。
【００５０】
図のようにコンバータ１１０２からの出力電線１１０３（１０５）は、隣接するコンバータに接続され、順にコンバータ内で並列接続されて配電盤１１０４に電気接続される。そして配電盤を経由して系統電源１１０５と電気接続される。
【００５１】
以上のようにして本発明の太陽電池アレイを系統電力と電気接続できる。またコンバータを枕材ブロックとして使用することで、コンバータの配置場所は架台配置部以外には不要となって通路が確保できるため、別途施工エリア面積を大きくしなくてよい。また太陽電池モジュールの近くにコンバータを配置できるので電気接続作業性が向上する。
【００５２】
（実施例２）
コンバータとその隣接する枕材ブロックとの間には隙間が形成されている例である。図３は本発明実施例２の太陽電池アレイを説明するための上視図である。図において３０１はコンバータ、３０２は傾斜材ブロック、３０３はコンバータと隣接する枕材ブロック間の隙間である。
【００５３】
コンバータ３０１は寸法が１００mm×２００ｍｍ×３００ｍｍとなっている以外は実施例１と同じものを使用する。またコンバータと隣接する枕材ブロック間の隙間３０３は５０ｍｍとする。
【００５４】
枕材ブロックの配置手順は、枕材ブロックを２個配置して隙間５０ｍｍを設けて、コンバータ３０１を配置して、また隙間５０ｍｍを配置して枕材ブロック２個を配置する。コンバータの配置間隔は、後工程で電気接続しやすいように太陽電池モジュールの出力電線の近くになるように適宜調整する。以上の作業を繰り返す。上記作業以外は実施例１と同様に行なう。
【００５５】
以上のようにして、コンバータとその隣り合う枕材ブロックとの間に隙間を形成することで、コンバータでの発熱を、隙間５０３で放熱できるのでコンバータの温度上昇を抑制することができる。
【００５６】
（実施例３）
コンバータの高さが枕材ブロック材の高さより低いものを使用しており、さらにコンバータが南側の傾斜ブロック材の非受光面に接触している例である。
【００５７】
図４は本発明の実施例３の太陽電池アレイを説明するための概略断面図である。図において４０１はコンバータ、４０２はコンバータと傾斜材ブロックの接触部、４０３は枕材ブロックである。
【００５８】
コンバータ４０１は寸法が８０mm×２００ｍｍ×４００ｍｍとなっている以外は実施例１と同じものを使用する。さらにコンバータ４０１は、その南側の傾斜材ブロックの非受光面に接触する（４０２）ように配置する。上記作業以外は実施例１と同様に行なう。
【００５９】
以上のようにコンバータの高さが枕材ブロックより低いので、コンバータの動作不良時にはコンバータを取り出しやすくなり、メンテナンス作業性が向上する。またコンバータが南側の傾斜材ブロックの非受光面と接触することで、コンバータに太陽光が当たり難くなるため、コンバータの温度上昇を抑制できる。
【００６０】
（実施例４）
コンバータの枕材ブロック連結方向の幅が、傾斜材ブロック連結方向の傾斜材ブロック長さより小さいものを使用している例である。
【００６１】
図５は本発明の実施例４の太陽電池アレイを説明するための上視図である。図において５０１はコンバータ、５０２は傾斜材ブロック、５０３は枕材ブロック、５０４はコンバータの枕材ブロック連結方向の幅、５０５は傾斜材ブロック連結方向の傾斜材ブロック長さである。
【００６２】
コンバータは寸法が１００mm×２００ｍｍ×１３０ｍｍであり、それ以外は実施例２と同じものを使用する。
【００６３】
枕材ブロックの配置は、コンバータ５０１配置後、枕材ブロック５０３を３個配置し、またコンバータを配置する。コンバータの配置間隔は、後工程で電気接続しやすいように太陽電池モジュールの出力電線の近くになるように適宜調整する。以上作業を繰り返す。この枕材ブロック配置作業以外は実施例１と同様に作業を行なう。
【００６４】
以上のように、コンバータの枕材ブロック連結方向の幅５０４が、傾斜材ブロック連結方向の傾斜材ブロック長さ５０５より小さいので、万一のコンバータの故障時に交換作業でコンバータを取り出しても、傾斜材ブロックが少なくともコンバータと隣接する枕材ブロック上に載っているため崩れ落ちないので、メンテナンス作業性が向上する。
【００６５】
（実施例５）
太陽電池モジュール近傍のコンバータはＤＣ/ＤＣコンバータを使用し、その後ＤＣ/ＡＣ変換後、系統電源に接続している例である。それ以外は実施例１と同様に作製する。
【００６６】
図１２は本発明実施例５の太陽電池アレイを説明するための概略図である。図において１２０１は太陽電池モジュール、１２０２はＤＣ/ＤＣコンバータ、１２０３はコンバータの出力電線、１２０４はＤＣ/ＡＣコンバータ、１２０５は配電盤、１２０６は系統電源である。実施例１において太陽電池モジュール近傍に配置するコンバータはＤＣ/ＤＣコンバータ１２０２を使用している。DC/DCコンバータ１２０２からの出力電線１２０３は隣接するDC/DCコンバータに接続され、コンバータ内で並列接続され、DC/ACコンバータ１２０４を経由して最終的に配電盤１２０５に電気接続される。本構成においても実施例１と同様に、コンバータの出力電線１２０３を流れる電流が小さくなるため、電線を細くできる。そのため施工性が向上し、電線コストも安いのでコストダウンを図ることができる。
【００６７】
（実施例６）
出力の大きな太陽電池モジュールを使用し、１枚の太陽電池モジュールに１個のコンバータが接続されている例である。図１３は本発明の実施例６の太陽電池アレイを説明するための図である。図において１３０１はコンバータ、１３０２は太陽電池モジュール、１３０３はコンバータの出力電線である。
【００６８】
太陽電池モジュール１３０２は寸法が３８０ｍｍ×３０００ｍｍであり、出力は定格６００Ｗである。またコンバータの配置は枕材ブロックの東西の３列それぞれについて配置する以外は実施例１と同様に作成する。
【図面の簡単な説明】
【００６９】
【図１】本発明の実施例１のコンバータを枕材ブロックとして使用した太陽電池アレイを説明するための図である。
【図２】図１の太陽電池アレイの概略断面図である。
【図３】本発明実施例２の太陽電池アレイを説明するための上視図である。
【図４】本発明の実施例３の太陽電池アレイを説明するための概略断面図である。
【図５】本発明の実施例４の太陽電池アレイを説明するための上視図である。
【図６】本発明の実施例１の枕材ブロックを配置するところを表す図である。
【図７】コンバータの出力電線を配置するところを説明するための概略図である。
【図８】本発明の実施例１の傾斜ブロックを配置するところを説明するための概略図である。
【図９】太陽電池アレイを低プロファイル化した例であり、また複数の太陽電池モジュールの出力を一つのコンバータで電力変換している例の概略図である。
【図１０】本発明の実施例１の太陽電池アレイで使用する太陽電池モジュールの概略図である。
【図１１】本実施例１の太陽電池モジュール〜コンバータ〜系統電力へと接続する太陽光発電システムを説明するための図である。
【図１２】実施例５の太陽電池アレイを説明するための概略図である。
【図１３】本発明の実施例６の太陽電池アレイを説明するための図である。
【図１４】太陽電池アレイを低プロファイル化した例であり、また出力が大きな太陽電池モジュールの出力を、前記太陽電池モジュール近傍に配置したコンバータで電力変換している太陽光発電システムの概略図である。
【符号の説明】
【００７０】
１０１、２０１、３０１、４０１、５０１、６０２、７０２、８０１、１１０２、１３０１  コンバータ
１０２、２０２、９０２、１１０１、１２０１、１３０２、１４０２  太陽電池モジュール
１０３、２０３、１００２  端子取り出し箱
１０４、２０４、１００３  太陽電池モジュールの出力電線
１０５、２０５、７０３、８０４、９０３、１１０３、１２０３、１３０３、１４０３  コンバータの出力電線
３０２、５０２、８０３、９０４、１４０４  傾斜材ブロック
３０３  コンバータと枕材ブロック間の隙間
４０２  コンバータと傾斜材ブロックとの接触部
４０３、５０３、６０１、７０１、８０２、９０５  枕材ブロック
５０４  コンバータの枕材ブロック連結方向の幅
５０５  傾斜材ブロック連結方向の傾斜材ブロック長さ
６０３  コンバータの入力側接続部
６０４  コンバータの出力側接続部
１１０４、１２０５  配電盤
１１０５、１２０６  系統電源
１２０２  ＤＣ/ＤＣコンバータ
９０１、１２０４、１４０１  ＤＣ/ＡＣコンバータ
１００１  太陽電池モジュール本体
１００４  電気接続部
【図１】
2006165170.tif 000003
【図２】
2006165170.tif 000004
【図３】
2006165170.tif 000005
【図４】
2006165170.tif 000006
【図５】
2006165170.tif 000007
【図６】
2006165170.tif 000008
【図７】
2006165170.tif 000009
【図８】
2006165170.tif 000010
【図９】
2006165170.tif 000011
【図１０】
2006165170.tif 000012
【図１１】
2006165170.tif 000013
【図１２】
2006165170.tif 000014
【図１３】
2006165170.tif 000015
【図１４】
2006165170.tif 000016